【手続補正書】
【提出日】平成18年3月8日(2006.3.8)
【手続補正１】
【補正対象書類名】明細書
【補正対象項目名】発明の名称
【補正方法】変更
【補正の内容】
【発明の名称】データ処理システム、サーバ装置、データ処理システムの制御方法、サーバ装置の制御方法、プログラム、記憶媒体
【手続補正２】
【補正対象書類名】明細書
【補正対象項目名】特許請求の範囲
【補正方法】変更
【補正の内容】
【特許請求の範囲】
【請求項１】  画像データを生成する画像データ生成手段と、
前記画像データ生成手段が生成した画像データから特徴量を抽出する抽出手段と、
前記抽出手段が第１の画像データから抽出した第１の特徴量を、登録する登録手段と、
前記登録手段が前記第１の特徴量を登録したことを示す登録情報を生成する登録情報生成手段と、
前記登録情報生成手段により生成された前記登録情報の入力を受け付ける受付手段と、
前記抽出手段が第２の画像データから抽出した第２の特徴量を、前記受付手段が受け付けた前記登録情報により特定される前記第１の特徴量と、関連付けて登録するよう前記登録手段を制御する制御手段と、
を備えることを特徴とするデータ処理システム。
【請求項２】  前記画像データ生成手段は、前記情報処理システムが備えるアプリケーションプログラムであることを特徴とする請求項１に記載のデータ処理システム。
【請求項３】  前記画像データ生成手段が生成した第１の画像データ、及び前記登録情報生成手段が生成した登録情報を、記録媒体に印刷する印刷手段を更に備えることを特徴とする請求項１または２に記載のデータ処理システム。
【請求項４】  前記印刷手段は、前記第１の画像データ、及び前記登録情報を合成して印刷することを特徴とする請求項３に記載のデータ処理システム。
【請求項５】  前記印刷手段により記録媒体上に印刷された前記登録情報を認識する認識手段を更に備え、
前記受付手段は、前記認識手段が認識することにより入力された前記登録情報を受け付けることを特徴とする請求項３または４に記載のデータ処理システム。
【請求項６】  原稿上の画像を読み取る読取手段と、
前記読取手段が読み取った原稿上の画像に基づく第３の画像データから前記抽出手段が抽出した第３の特徴量と、前記受付手段が受け付けた前記登録情報により特定される前記第１の特徴量とが、一致するか否かを判定する判定手段と、を更に備え、
前記制御手段は、前記判定手段が前記第１の特徴量及び前記第３の特徴量が一致すると判定した場合に、前記第２の特徴量を前記第１の特徴量と関連付けて登録するよう前記登録手段を制御することを特徴とする請求項１から５のいずれか１項に記載のデータ処理システム。
【請求項７】  前記判定手段が、前記抽出手段が第４の画像データから抽出した第４の特徴量と、前記第１の特徴量または前記第２の特徴量とが、一致するか否かを判定し、該判定の結果、前記第４の特徴量と、前記第１の特徴量または前記第２の特徴量のうち少なくとも一方が、一致すると判定した場合、前記第４の画像データに含まれる内容が登録済の内容であることを保証する保証情報を発行する発行手段を更に備えることを特徴とする請求項１から６のいずれか１項に記載のデータ処理システム。
【請求項８】  前記発行手段は、前記第４の特徴量と前記第１の特徴量とが一致した場合、または、前記第４の特徴量と前記第２の特徴量とが一致した場合、のいずれの場合であるかを区別するための情報を含む前記保証情報を発行することを特徴とする請求項７に記載のデータ処理システム。
【請求項９】  前記データ処理システムは、互いに接続されたデータ処理装置及びサーバ装置を有し、
前記データ処理装置は、
前記画像データ生成手段、前記抽出手段、前記出力手段、及び前記受付手段を備え、
前記サーバ装置は、
前記登録手段、前記登録情報生成手段、及び前記制御手段を備えることを特徴とする請求項１から８のいずれか１項に記載のデータ処理システム。
【請求項１０】  前記データ処理装置は、
前記抽出手段が抽出した特徴量を、ネットワークを介して前記サーバ装置に送信する送信手段を更に備え、
前記サーバ装置は、前記データ処理装置が前記ネットワークを介して送信した特徴量を受信する受信手段を更に備えることを特徴とする請求項９に記載のデータ処理システム。
【請求項１１】  ネットワークを介してデータ処理装置に接続されたサーバ装置であって、
第１の画像データから抽出された第１の特徴量を、前記データ処理装置から受信する受信手段と、
前記受信手段が受信した前記第１の特徴量を登録する登録手段と、
前記登録手段が前記第１の特徴量を登録したことを示す登録情報を生成する登録情報生成手段と、
前記登録情報生成手段が生成した前記登録情報を、前記データ処理装置に通知する通知手段と、
第２の画像データから抽出された第２の特徴量、及び前記登録情報を、前記受信手段が前記データ処理装置から受信した場合に、該第２の特徴量を、該登録情報により特定される前記第１の特徴量と、関連付けて登録するよう前記登録手段を制御する制御手段と、
を備えることを特徴とするサーバ装置。
【請求項１２】  前記受信手段が、前記登録情報とともに、第３の画像データから抽出された第３の特徴量を受信した場合に、該第３の特徴量と、前記登録情報により特定される前記第１の特徴量とが、一致するか否かを判定する判定手段を更に備え、
前記制御手段は、前記判定手段が前記第１の特徴量及び前記第３の特徴量が一致すると判定した場合に、前記第２の特徴量を前記第１の特徴量と関連付けて登録するよう前記登録手段を制御することを特徴とする請求項１１項に記載のサーバ装置。
【請求項１３】  前記判定手段が、前記受信手段が前記登録情報とともに受信した第４の画像データから抽出された第４の特徴量と、前記第１の特徴量または前記第２の特徴量とが一致するか否かを判定し、該判定の結果、前記第４の特徴量と、前記第１の特徴量または前記第２の特徴量のうち少なくとも一方が、一致すると判定した場合、前記第４の画像データに含まれる内容が登録済の内容であることを保証する保証情報を発行する発行手段を更に備えることを特徴とする請求項１１または１２に記載のサーバ装置。
【請求項１４】  前記発行手段は、前記第４の特徴量と前記第１の特徴量とが一致した場合、または、前記第４の特徴量と前記第２の特徴量とが一致した場合、のいずれの場合であるかを区別するための情報を含む前記保証情報を発行することを特徴とする請求項１３に記載のサーバ装置。
【請求項１５】  画像データを生成する画像データ生成工程と、
前記画像データ生成工程で生成した画像データから特徴量を抽出する抽出工程と、
前記抽出工程で第1の画像データから抽出した第1の特徴量を登録する登録工程と、
前記登録工程で前記第1の特徴量を登録したことを示す登録情報を生成する登録情報生成工程と、
前記登録情報生成工程において生成された前記登録情報の入力を受け付ける受付工程と、
前記抽出工程で第２の画像データから抽出した第２の特徴量を、前記受付工程で受け付けた前記登録情報により特定される前記第１の特徴量と、関連付けて登録するよう前記登録工程を制御する制御工程と、
を備えることを特徴とするデータ処理システムの制御方法。
【請求項１６】  ネットワークを介してデータ処理装置に接続されたサーバ装置の制御方法であって、
第１の画像データから抽出された第１の特徴量を、前記情報処理装置から受信する受信工程と、
前記受信工程で受信した前記第１の特徴量を登録する登録工程と、
前記登録工程で前記第１の特徴量を登録したことを示す登録情報を生成する登録情報生成工程と、
前記登録情報生成工程で生成された前記登録情報を、前記情報処理装置に通知する通知工程と、
第２の画像データから抽出された第２の特徴量、及び前記登録情報を、前記受信工程で前記情報処理装置から受信した場合に、該第２の特徴量を、該登録情報により特定される前記第１の特徴量と、関連付けて登録するよう前記登録工程を制御する制御工程と、
を備えることを特徴とするサーバ装置の制御方法。
【請求項１７】  請求項１５または１６のいずれかに記載の制御方法をコンピュータに実行させるためのプログラム。
【請求項１８】  請求項１７に記載のプログラムを格納したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、サーバ装置とデータ処理装置とが通信してデータ処理を行うデータ処理システムに関するものである。
【手続補正４】
【補正対象書類名】明細書
【補正対象項目名】００１０
【補正方法】変更
【補正の内容】
【００１０】
本発明は、上記の問題点を解決するためになされたもので、本発明の目的は、ユーザがサーバ装置に対して更新可能に登録した最新の原本特定情報に従い、電子データをプリント処理する際に、常に最新の原本特定情報に従って検証して得られる原本保証情報を電子データに付帯させた印刷結果を容易に得ることができる原本保証プリントを再現性よく行える仕組みを提供することである。
【手続補正５】
【補正対象書類名】明細書
【補正対象項目名】００１１
【補正方法】変更
【補正の内容】
【００１１】
また、データ処理装置から送信される原本特定情報を管理される原本特定情報と検証してその原本性を確認して、その確認結果をデータ処理装置に通知して、原本特定情報に利用可能な電子データか否かを確実に判定することができる仕組みを提供することである。
【手続補正６】
【補正対象書類名】明細書
【補正対象項目名】００１２
【補正方法】変更
【補正の内容】
【００１２】
【課題を解決するための手段】
上記目的を達成する本発明のデータ処理システムは以下に示す構成を備える。
【手続補正７】
【補正対象書類名】明細書
【補正対象項目名】００１３
【補正方法】変更
【補正の内容】
【００１３】
画像データを生成する画像データ生成手段と、前記画像データ生成手段が生成した画像データから特徴量を抽出する抽出手段と、前記抽出手段が第１の画像データから抽出した第１の特徴量を、登録する登録手段と、前記登録手段が前記第１の特徴量を登録したことを示す登録情報を生成する登録情報生成手段と、前記登録情報生成手段により生成された前記登録情報の入力を受け付ける受付手段と、前記抽出手段が第２の画像データから抽出した第２の特徴量を、前記受付手段が受け付けた前記登録情報により特定される前記第１の特徴量と、関連付けて登録するよう前記登録手段を制御する制御手段と、を備えることを特徴とする。
また、上記目的を達成する本発明のサーバ装置は以下に示す構成を備える。
ネットワークを介してデータ処理装置に接続されたサーバ装置であって、第１の画像データから抽出された第１の特徴量を、前記データ処理装置から受信する受信手段と、前記受信手段が受信した前記第１の特徴量を登録する登録手段と、前記登録手段が前記第１の特徴量を登録したことを示す登録情報を生成する登録情報生成手段と、前記登録情報生成手段が生成した前記登録情報を、前記データ処理装置に通知する通知手段と、第２の画像データから抽出された第２の特徴量、及び前記登録情報を、前記受信手段が前記情報処理装置から受信した場合に、該第２の特徴量を、該登録情報により特定される前記第１の特徴量と、関連付けて登録するよう前記登録手段を制御する制御手段とを備えることを特徴とする。
【手続補正８】
【補正対象書類名】明細書
【補正対象項目名】０１２５
【補正方法】変更
【補正の内容】
【０１２５】
【発明の効果】
以上説明したように、本発明によれば、ユーザがサーバ装置に対して更新可能に登録した最新の原本特定情報に従い、電子データをプリント処理する際に、常に最新の原本特定情報に従って検証して得られる原本保証情報を電子データに付帯させた印刷結果を容易に得ることができる原本保証プリントを再現性よく行える。